(57)【要約】      （修正有）【課題】ペットボトル等の飲料容器の口部に取り付けられる飲み口であって、片手による簡単な操作で、流路の閉鎖状態と開放状態を切り換えることができる飲み口を提供する。【解決手段】円形断面を有する飲料容器口部に挿入して用いる筒状の飲み口であって、弾性材料で形成され、長軸直径と短軸直径とを有する長円形の輪郭形状を有し、先端が前記容器口部に挿入される筒状の挿入部２と、弾性材料で形成する。前記挿入部の他端に接続され、先端が容器内の飲料の流出口を形成する筒状の飲み口部と、前記挿入部と飲み口部４を軸線方向に貫通して延びる流路と、前記挿入部の短軸直径に対応する前記飲み口の外面上の位置の少なくとも一方に設けられた押圧特定部と、前記流路内に配置された弁と、を備え、前記弁は、弾性材料で形成された２枚の平面視半円形状の折れ曲がった板状の弁体１２，１４を備え、該２枚の弁体は前記押圧特定部が径方向内方に押圧されることによって開放される。【選択図】図３
0003147042.tif 000002
【実用新案登録請求の範囲】
【請求項１】
円形断面を有する飲料容器口部に挿入して用いる筒状の飲み口であって、
弾性材料で形成され、長軸直径と短軸直径とを有する長円形の輪郭形状を有し、先端が前記容器口部に挿入される筒状の挿入部と、
弾性材料で形成され、前記挿入部の他端に接続され、先端が容器内の飲料の流出口を形成する筒状の飲み口部と、
前記挿入部と飲み口部を軸線方向に貫通して延びる流路と、
前記挿入部の短軸直径に対応する前記飲み口の外面上の位置の少なくとも一方に設けられた押圧特定部と、
前記流路内に配置された弁と、を備え、
前記弁は、弾性材料で形成された２枚の弁体を備え、
該２枚の弁体は基部が前記流路の内周面に接合され且つ一方の弁体の先端部が他方の弁体の先端部と互いに当接することにより前記流路を閉鎖するように構成され、さらに、前記当接部は前記挿入部の短軸直径方向に延びるように配置されて、前記押圧特定部が径方向内方に押圧されることによって開放される、
ことを特徴とする飲み口。
【請求項２】
前記弁体の基部は、前記飲み口部内で前記流路の内周面に接合されている、
請求項１に記載の飲み口。
【請求項３】
前記弁体は、前記基部が、前記先端部より前記流出口側に位置するように配置されている、
請求項１または２に記載の飲み口。
【請求項４】
前記弁体は、前記先端部が、前記基部より前記流出口側に位置するように配置されている、
請求項１または２に記載の飲み口。
【請求項５】
前記弁体は、前記基部が前記押圧特定部の径方向内方位置に配置されるように、構成されている、
請求項１乃至４のいずれか１項に記載の飲み口。
【請求項６】
前記各弁体の流出口側表面の基部には、それぞれ２本の直線溝が設けられ、
前記溝は、前記弁体に平面視で前記流路内に近接する四角形を形成するように配置されている、請求項１乃至５のいずれか１項に記載の飲み口。
【請求項７】
前記弁体の少なくとも一方の表面に、前記長軸直径方向の溝が設けられている、
請求項１乃至６のいずれか１項に記載の飲み口。
【請求項８】
前記挿入部は、外側面が、前記挿入部の先端に向かってテーパしている、
請求項１乃至７のいずれか１項に記載の飲み口。
【請求項９】
前記押圧特定部は、突起である、
請求項１乃至８のいずれか１項に記載の飲み口。
【考案の詳細な説明】
【技術分野】
【０００１】
本発明は、飲み口に関し、詳細には、ペットボトルの口部のような円形断面を有する容器口部に取り付けて使用する飲み口に関する。
【背景技術】
【０００２】
ペットボトルのような飲料容器から飲料を飲む方法としては、従来、ペットボトルの蓋を取り外して、ペットボトルに口を付けて口部から直接、飲料を飲む方法や、押し込み可能なストローと、押し込まれたストローを覆う蓋部材を備えた飲み口をペットボトルの口部に取り付け、蓋部を開けストローを使って飲料を飲む方法が知られている（特許文献１参照）。
【０００３】
【特許文献１】特開２０００−１４２７７４号公報
【考案の開示】
【考案が解決しようとする課題】
【０００４】
しかしながら、ペットボトルの口部から直接、飲料を飲む方法では、飲む度に両手で蓋を取り外さなければならないという問題があった。
また、特許文献１に記載されているようなストロー付き飲み口を用いる場合には、片手で蓋を開閉することができるが、蓋を開けた状態でペットボトルを傾けるとストローの先端から飲料が漏れてしまうという問題があった。
【０００５】
本考案は、このような問題を解決するためになされたものであり、ペットボトル等の飲料容器の口部に取り付けられる飲み口であって、片手による簡単な操作で、流路の閉鎖状態と開放状態を切り換えることができる飲み口を提供することを目的としている。
【課題を解決するための手段】
【０００６】
本考案によれば、
円形断面を有する飲料容器口部に挿入して用いる筒状の飲み口であって、
弾性材料で形成され、長軸直径と短軸直径とを有する長円形の輪郭形状を有し、先端が前記容器口部に挿入される筒状の挿入部と、
弾性材料で形成され、前記挿入部の他端に接続され、先端が容器内の飲料の流出口を形成する筒状の飲み口部と、
前記挿入部と飲み口部を軸線方向に貫通して延びる流路と、
前記挿入部の短軸直径に対応する前記飲み口の外面上の位置の少なくとも一方に設けられた押圧特定部と、
前記流路内に配置された弁と、を備え、
前記弁は、弾性材料で形成された２枚の弁体を備え、
該２枚の弁体は基部が前記流路の内周面に接合され且つ一方の弁体の先端部が他方の弁体の先端部と互いに当接することにより前記流路を閉鎖するように構成され、さらに、前記当接部は前記挿入部の短軸直径方向に延びるように配置されて、前記押圧特定部が径方向内方に押圧されることによって開放される、
ことを特徴とする飲み口が提供される。
【０００７】
このような構成によれば、円形断面を有する容器の口部に挿入される挿入部が、長軸直径と短軸直径とを有する長円形の輪郭形状を有しているので、挿入部が円形断面を有する容器口部に挿入されると、飲み口には挿入部の長軸直径方向に大きな応力が作用する。この応力によって、短軸直径方向に延びる弁体の先端部同士が互いに押しつけられ、流路の閉鎖が確実に行われる。
一方、短軸直径に対応する位置に設けられた押圧特定部が径方向内方に押圧されると、弁体は変形し、弁体の先端部同士の間に開口が形成され、この開口を通して、容器内の飲料の流出が可能となる。すなわち、押圧特定部を径方向内方に押圧するという片手で行える簡単な操作によって、容器の口部を閉鎖状態から飲用可能な開放状態に移行させることができる。
【０００８】
本考案の好ましい態様によれば、前記弁体の基部は、前記飲み口部内で前記流路の内周面に接合されている。
このような構成によれば、押圧特定部を径方向内方に押圧したとき、より小さな力で弁体を変形させ流路を開放することができる。
【０００９】
本考案の他の好ましい態様によれば、前記弁体は、前記基部が、前記先端部より前記流出口側に位置するように配置されている。
このような構成によれば、押圧特定部を径方向内方に押圧したとき、より小さな力で弁体を変形させ流路を開放することができる。
【００１０】
本考案の他の好ましい態様によれば、前記弁体は、前記先端部が、前記基部より前記流出口側に位置するように配置されている。
このような構成によれば、押圧特定部を径方向内方に押圧したとき、より小さな力で弁体を変形させ流路を開放することができる。
【００１１】
本考案の他の好ましい態様によれば、前記弁体は、前記基部が前記押圧特定部の径方向内方位置に配置されるように、構成されている。
このような構成によれば、押圧特定部を径方向内方に押圧したとき弁体の「付け根」が押圧されるので、より小さな力で弁体を変形させ流路を開放することができる。
【００１２】
本考案の他の好ましい態様によれば、前記各弁体の流出口側表面の基部には、それぞれ２本の直線溝が設けられ、前記溝は、前記弁体に平面視で前記流路内に近接する四角形を形成するように配置されている。
このような構成によれば、弁体が変形し易いので、より小さな力で弁体を変形させ流路を開放することができる。
【００１３】
本考案の他の好ましい態様によれば、前記弁体の少なくとも一方の表面に、前記長軸直径方向の溝が設けられている。
このような構成によれば、弁体が変形し易いので、より小さな力で弁体を変形させ流路を開放することができる。
【００１４】
本考案の他の好ましい態様によれば、前記挿入部は、外側面が、前記挿入部の先端に向かってテーパしている。
このような構成によれば、飲料容器の口部への挿入が容易になる。
【００１５】
本考案の他の好ましい態様によれば、前記押圧特定部は、突起である。
このような構成によれば、押圧が容易になる。
【００１６】
本考案の他の好ましい態様によれば、前記飲み口部の外周面には、前記突起から前記飲み口の先端に向かって延びる畝部が設けられている。
このような構成によれば、突起を押圧したときの押圧力が、飲み口部および挿入部を介して、弁体に効率的に伝えられ、流路を確実に開放することができる。
【考案の効果】
【００１７】
本考案によれば、ペットボトル等の飲料容器の口部に取り付けられる飲み口であって、片手による簡単な操作で、流路の閉鎖状態と開放状態を切り換えることができる飲み口が提供される。
【考案を実施するための最良の形態】
【００１８】
以下、添付図面を参照して本考案の好ましい実施形態の飲み口について説明する。
図１は、本考案の好ましい実施形態の飲み口１の斜視図であり、図２は飲み口１の平面図である。飲み口１は、ペットボトル等の円形断面を有する飲料容器口部に挿入して用いる筒状の飲み口である。図１に示されているように、飲み口１は、容器口部に挿入される挿入部２と、容器内の飲料を流出させる流出口を形成する飲み口部４とを備えている。
【００１９】
挿入部２は、長軸直径と短軸直径とを有する長円形の輪郭形状を有し先端に向かってテーパした筒状の形状を有している。このように、挿入部２は、断面の輪郭形状が長円形であるので、ペットボトル等の断面円形の口部内に挿入されると、図２に一点鎖線Ｌで示されている長軸直径方向に押圧されることになる。
【００２０】
飲み口部４は、弾性材料によって挿入部２と一体的に形成され挿入部２の他端に接続された円筒状の形状を有し、先端が容器内の飲料の流出口４ａを構成している。このように一体的に形成された挿入部２と飲み口部４の内部には、これらを軸線方向に貫通して延びる断面円形の流路Ｒが形成されている。また、飲み口部４は、挿入部２の他端に接続される部分の外径が、挿入部２の他端の外径よりも小さくなっている。
【００２１】
さらに、飲み口部４と挿入部２との境界部分には、略直方体形状の突起であるタブ６が設けられている。タブ６は、図２に二点鎖線Ｓで示される挿入部４の短軸直径に対応する飲み口部４の外周面の周方向位置に、直径方向に対向して２つ設けられている。
【００２２】
飲み口部４の外周面には、タブ６から流出口４ａに向かって延びる矩形断面を備えた細長い畝部８が設けられている。
【００２３】
図３は、図１のIII−III線に沿った縦断面図であり、図４は、図１のIV−IV線に沿った縦断面図である。
図３及び図４に示されているように、飲み口１は、流路Ｒ内に配置された弁１０を備えている。弁１０は、弾性材料で形成された２枚の平面視半円形状の板状の弁体１２、１４を備えている。
【００２４】
２枚の弁体１２、１４は、中央部で半径に沿って折れ曲がった形状とされ、飲み口部４内で、それぞれの基部１２ａ、１４ａが流路Ｒの内周面に径方向の対向する位置で接合され、かつ、一方の弁体の先端部（直線部分）１２ｂ、１４ｂが他方の弁体の先端部と当接し流路Ｒを閉鎖するように構成されている（図２）。
また、２枚の弁体１２、１４は、当接部１２ｂ、１４ｂが挿入部２の短軸直径方向に延びるように配置されている。
【００２５】
さらに、図３および図４に示されているように、２枚の弁体１２、１４は、基部１２ａ、１４ａが、先端部（直線部分）１２ｂ、１４ｂより流出口４ａ側に位置するように配置されている。すなわち、２枚の弁体１２、１４は、挿入部２に向かって先細りする中空の略四角錐形状を形成するように配置されている。
【００２６】
尚、本考案では、２枚の弁体を、先端部（直線部分）が基部より流出口側に位置するように配置し、２枚の弁体が流出口に向かって先細りする中空の略四角錐形状を形成する構成としてもよい。
【００２７】
図２および図５に示されているように、各弁体１２、１４の上表面（流出口４ａ側の表面）には、それぞれ２本の直線状のＶ字溝１６が設けられている。Ｖ字溝１６は、平面視で互いにほぼ９０度の角度をなすように、正方形の各辺に配置されている。Ｖ字溝１６で構成される正方形は、流路の内周面に内接するように配置されているが、近接するように配置してもよい。
飲み口１の底面図である図６に示されているように、各弁体１２、１４の下表面（挿入部２側の面）には、挿入部２の長軸直径方向に沿って先端部（直線部分）１２ｂ、１４ｂと直交する方向に延びるＶ字溝１８が設けられている。
本考案では、Ｖ字溝を、弁体１２、１４の上表面（流出口４ａ側の表面）に設けてもよい。
上記Ｖ字溝１６および１８の断面形状は、半円などの他の形状としてもよく、直線状の切れ目でもよい。
【００２８】
本実施形態では、挿入部２、飲み口部４、タブ６、畝部８、弁体１２、１４が、ＬＬＤＰＥ（直鎖状低密度ポリエチレン）等の弾性材料を射出成形することによって一体成形されている。しかしながら、ＬＬＤＰＥ以外のシール性の強い弾性材料などの他のプラスチック材料、ゴム等も使用可能である。また、製造方法も射出成形に限定されるものではない。
【００２９】
次に、飲み口１の使用方法について説明する。図７に示されているように、飲み口１は、使用時には、蓋を外した状態のペットボトルＰ等の円形断面を有する口部に、挿入部２が差し込まれる。
上述したように、挿入部２の輪郭形状が長円形であるので、挿入部２が円形断面の口部に挿入されると、飲み口１には挿入部の長軸直径方向に大きな応力が作用する。この応力によって、短軸直径（Ｓ）方向に延びる弁体１２、１４の先端部１２ｂ、１４ｂ同士が互いに押しつけられ、流路が確実に閉鎖される（図２、図３、図６）。
また、上述したように、飲み口部４は、挿入部２の他端に接続される部分の外径が、挿入部２の他端の外径よりも小さくなっているので、挿入部２が口部に挿入されると、挿入部２を押圧する力が飲み口部４に伝わって、先端部１２ｂ、１４ｂ同士が互いに強く押しつけられる。
【００３０】
一方、短軸直径方向に対向する位置に設けられたタブ６が、図８に矢印Ａで示されるように、短軸直径方向内方に向けて押圧されると、弁体１２、１４は変形し、弁体の先端部１２ｂ、１４ｂ同士の間に開口が形成され、この開口を通して、容器内の飲料の流出が可能となる。
上述したように２枚の弁体が中空の略四角錐形状を形成するように配置されているので、弁体１２、１４が容易に変形して、飲料を流出させるために十分な広さの開口が弁体の先端部１２ｂ、１４ｂの間に形成される。
【００３１】
したがって、使用者は、ペットボトル等の口部を握りながら、親指と人差し指でタブ６を互いに向って径方向内方に押圧するだけで、２枚の弁体１２、１４を変形させて流路Ｒを開放し、飲み口１を通してペットボトル内の飲料を飲むことができる。
【００３２】
本考案は、以上の実施の形態に限定されることなく、実用新案登録請求の範囲に記載された考案の範囲内で種々の変更が可能であり、それらも本考案の範囲内に包含されるものであることはいうまでもない。
【００３３】
例えば、上記実施形態では、押圧特定部であるタブが、飲み口部の直径方向に対向する位置に２つ設けられているが、１つのみ設けてもよい。また、押圧特定部の形状はタブに限定されるものではなく、手で触れたときに感知することができる形状であればどのような形状でもよく、例えば、凹部であってもよい。
【図面の簡単な説明】
【００３４】
【図１】本考案の好ましい実施形態の飲み口の斜視図である。
【図２】本考案の好ましい実施形態の飲み口の平面図である。
【図３】図１のIII−III線に沿った縦断面図である。
【図４】図１のIV−IV線に沿った縦断面図である。
【図５】図２のV−V線に沿った縦断面図である。
【図６】本考案の好ましい実施形態の飲み口の底面図である。
【図７】本考案の好ましい実施形態の飲み口の使用態様を示す図である。
【図８】本考案の好ましい実施形態の飲み口の弁体が開いた状態の底面図である。
【符号の説明】
【００３５】
１：飲み口
２：挿入部
４：飲み口部
６：タブ
８：畝部
１０：弁
１２、１４：弁体
【図１】
0003147042.tif 000003
【図２】
0003147042.tif 000004
【図３】
0003147042.tif 000005
【図４】
0003147042.tif 000006
【図５】
0003147042.tif 000007
【図６】
0003147042.tif 000008
【図７】
0003147042.tif 000009
【図８】
0003147042.tif 000010